(57)【要約】【課題】施設の利用の有無に応じて施設アイコンの表示を変更し、視認性及び操作性を向上させた、ナビゲーション装置、ナビゲーション方法、及びナビゲーションプログラムを提供すること。【解決手段】ナビゲーション装置１は、ユーザによって入力された種別に合致する施設を検索し、検索された施設を案内するためのアイコンを表示させるナビゲーション装置１であって、地図情報及び自車両状態に基づき、自車両が検索された施設を利用したか否かを判定する利用判定部６０ａと、利用判定部６０ａによって自車両が検索された施設を利用したものと判定された場合、当該利用したものと判定された施設を案内するためのアイコン及び当該利用したものと判定された施設と同一種別の他の施設を案内するためのアイコンの表示状態を変更制御する表示制御部６０ｂとを備える。【選択図】図１
2010014455.tif 000002
【特許請求の範囲】
【請求項１】
ユーザによって入力された種別に合致する施設を検索し、当該検索された施設を案内するためのアイコンを表示させるナビゲーション装置であって、
地図情報及び自車両状態に基づき、自車両が前記検索された施設を利用したか否かを判定する利用判定手段と、
前記利用判定手段によって前記自車両が前記検索された施設を利用したものと判定された場合、当該利用したものと判定された施設を案内するための前記アイコン及び当該利用したものと判定された施設と同一種別の他の施設を案内するための前記アイコンの表示状態を変更制御する表示制御手段と、
を備えることを特徴とするナビゲーション装置。
【請求項２】
前記利用判定手段によって前記自車両が前記検索された施設を利用したものと判定された場合、当該利用したものと判定された施設を案内するための前記アイコン及び当該利用したものと判定された施設と同一種別の他の施設を案内するための前記アイコンの表示状態の変更制御内容に関する指示入力を促す報知手段を備え、
前記表示制御手段は、所定の入力手段を介して前記指示入力を受け付けた場合、当該指示入力に基づき、前記アイコンの表示状態を変更制御すること、
を特徴とする請求項１に記載のナビゲーション装置。
【請求項３】
当該ナビゲーション装置によって自車両の案内経路が設定されており、当該案内経路に沿って存在する施設を案内するための前記アイコンであって、前記検索された複数の施設を案内するための前記アイコンが表示されている場合において、
前記種別と、当該種別に合致する施設が利用された後に再度利用されるまでの時間を特定する再利用時間情報とを相互に対応付けて格納する再利用情報格納手段を備え、
前記表示制御手段は、前記利用判定手段によって前記自車両が前記検索された施設を利用したものと判定された場合、前記ユーザによって入力された種別に対応付けて格納されている前記再利用時間情報を前記再利用情報格納手段から取得し、当該取得した再利用時間情報にて特定される時間の間に前記自車両が到達可能な範囲内に存在する施設を案内するための前記アイコンであって、当該利用したものと判定された施設を案内するための前記アイコン及び当該利用したものと判定された施設と同一種別の他の施設を案内するための前記アイコンの表示状態を変更制御すること、
を特徴とする請求項１又は２に記載のナビゲーション装置。
【請求項４】
前記表示制御手段は、前記利用判定手段によって前記自車両が前記検索された施設を利用したものと判定された場合、当該利用したものと判定された施設を案内するための前記アイコン及び当該利用したものと判定された施設と同一種別の他の施設を案内するための前記アイコンの表示を削除すること、
を特徴とする請求項１から３のいずれか一項に記載のナビゲーション装置。
【請求項５】
ユーザによって入力された種別に合致する施設を検索し、当該検索された施設を案内するためのアイコンを表示させるナビゲーション方法であって、
地図情報及び自車両状態に基づき、自車両が前記検索された施設を利用したか否かを判定する利用判定ステップと、
前記利用判定ステップにおいて前記自車両が前記検索された施設を利用したものと判定された場合、当該利用したものと判定された施設を案内するための前記アイコン及び当該利用したものと判定された施設と同一種別の他の施設を案内するための前記アイコンの表示状態を変更制御する表示制御ステップと、
を含むことを特徴とするナビゲーション方法。
【請求項６】
請求項５に記載の方法をコンピュータに実行させることを特徴とするナビゲーションプログラム。
【発明の詳細な説明】
【技術分野】
【０００１】
本発明は、ナビゲーション装置、ナビゲーション方法、及びナビゲーションプログラムに関し、特に、各種の施設を案内するためのアイコンを表示させるナビゲーション装置、ナビゲーション方法、及びナビゲーションプログラムに関する。
【背景技術】
【０００２】
従来、目的地までの経路案内を行うナビゲーション装置が用いられている。このナビゲーション装置においては、道路表示のほか、ユーザによって入力された種別に合致する施設を示すアイコンが表示画面上に表示される。しかし、過度に多数のアイコンが表示画面上に表示されると、道路表示等の他の必要な情報がアイコンの背後に隠れてしまうほか、アイコン同士でも重畳表示されてしまい、表示画面の視認性や操作性の悪化を招いていた。
【０００３】
かかる問題に対処するため、地図の表示領域内に存在する施設の個数が所定値未満である場合には、当該施設を地図上にアイコン表示し、施設の個数が所定値以上である場合には、表示画面における所定の位置に代表アイコン表示エリアを設け、当該代表アイコン表示エリアに、取得された施設の種別を示す代表アイコンを表示する方法が提案されている（例えば、特許文献１参照）。
【０００４】
【特許文献１】特開２００６−２７５６６２号公報（段落０００９）
【発明の開示】
【発明が解決しようとする課題】
【０００５】
しかしながら、ユーザによって入力された種別に合致する施設を示すアイコンを表示させた場合に、上記特許文献１に記載の方法を適用したとしても、地図の表示領域内に存在する施設の個数が所定値以上である場合に、表示画面に設けた代表アイコン表示エリアに施設の種別を示す代表アイコンが表示されるに過ぎず、施設を利用した後であっても代表アイコンが表示された状態が継続されていることとなり、視認性や操作性の向上が妨げられる可能性があった。
【０００６】
本発明は、上述した問題点を解決するためになされたものであり、施設の利用の有無に応じてアイコンの表示状態を変更制御し、表示画面の視認性及び操作性を向上させた、ナビゲーション装置、ナビゲーション方法、及びナビゲーションプログラムを提供することを目的とする。
【課題を解決するための手段】
【０００７】
上述した課題を解決し、目的を達成するために、請求項１に記載のナビゲーション装置は、ユーザによって入力された種別に合致する施設を検索し、当該検索された施設を案内するためのアイコンを表示させるナビゲーション装置であって、地図情報及び自車両状態に基づき、自車両が前記検索された施設を利用したか否かを判定する利用判定手段と、前記利用判定手段によって前記自車両が前記検索された施設を利用したものと判定された場合、当該利用したものと判定された施設を案内するための前記アイコン及び当該利用したものと判定された施設と同一種別の他の施設を案内するための前記アイコンの表示状態を変更制御する表示制御手段とを備えることを特徴とする。
【０００８】
また、請求項２に記載のナビゲーション装置は、請求項１に記載のナビゲーション装置において、前記利用判定手段によって前記自車両が前記検索された施設を利用したものと判定された場合、当該利用したものと判定された施設を案内するための前記アイコン及び当該利用したものと判定された施設と同一種別の他の施設を案内するための前記アイコンの表示状態の変更制御内容に関する指示入力を促す報知手段を備え、前記表示制御手段は、所定の入力手段を介して前記指示入力を受け付けた場合、当該指示入力に基づき、前記アイコンの表示状態を変更制御することを特徴とする。
【０００９】
また、請求項３に記載のナビゲーション装置は、請求項１又は２に記載のナビゲーション装置において、当該ナビゲーション装置によって自車両の案内経路が設定されており、当該案内経路に沿って存在する施設を案内するための前記アイコンであって、前記検索された複数の施設を案内するための前記アイコンが表示されている場合において、前記種別と、当該種別に合致する施設が利用された後に再度利用されるまでの時間を特定する再利用時間情報とを相互に対応付けて格納する再利用情報格納手段を備え、前記表示制御手段は、前記利用判定手段によって前記自車両が前記検索された施設を利用したものと判定された場合、当該ユーザによって入力された種別に対応付けて格納されている前記再利用時間情報を前記再利用情報格納手段から取得し、当該取得した再利用時間情報にて特定される時間の間に前記自車両が到達可能な範囲内に存在する施設を案内するための前記アイコンであって、当該利用したものと判定された施設を案内するための前記アイコン及び当該利用したものと判定された施設と同一種別の他の施設を案内するための前記アイコンの表示状態を変更制御することを特徴とする。
【００１０】
また、請求項４に記載のナビゲーション装置は、請求項１から３のいずれか一項に記載のナビゲーション装置において、前記表示制御手段は、前記利用判定手段によって前記自車両が前記検索された施設を利用したものと判定された場合、当該利用したものと判定された施設を案内するための前記アイコン及び当該利用したものと判定された施設と同一種別の他の施設を案内するための前記アイコンの表示を削除することを特徴とする。
【００１１】
また、請求項５に記載のナビゲーション方法は、ユーザによって入力された種別に合致する施設を検索し、当該検索された施設を案内するためのアイコンを表示させるナビゲーション方法であって、地図情報及び自車両状態に基づき、自車両が前記検索された施設を利用したか否かを判定する利用判定ステップと、前記利用判定ステップにおいて前記自車両が前記検索された施設を利用したものと判定された場合、当該利用したものと判定された施設を案内するための前記アイコン及び当該利用したものと判定された施設と同一種別の他の施設を案内するための前記アイコンの表示状態を変更制御する表示制御ステップとを含むことを特徴とする。
【００１２】
また、請求項６に記載のナビゲーションプログラムは、請求項５に記載の方法をコンピュータに実行させることを特徴とする。
【発明の効果】
【００１３】
請求項１に記載のナビゲーション装置、請求項５に記載のナビゲーション方法、及び請求項６に記載のナビゲーションプログラムによれば、利用判定手段が、自車両が検索された施設を利用したものと判定した場合において、当該利用したものと判定した施設を案内するためのアイコン及び当該利用したものと判定した施設と同一種別の他の施設を案内するためのアイコンの表示状態を変更制御するので、ユーザにとって不要となった施設についてのアイコンを変更することができ、モニタの表示画面についての視認性及び操作性を向上させることができる。
【００１４】
また、請求項２に記載のナビゲーション装置によれば、ユーザによる表示状態の変更についての指示入力を受け付けた場合に表示制御手段がアイコンの表示状態を変更するので、表示状態の変更についてユーザの意思を反映することができ、不要なアイコンを変更することができる。
【００１５】
また、請求項３に記載のナビゲーション装置によれば、表示制御手段は、再利用時間情報にて特定される時間の間に自車両が到達可能な範囲内で案内経路に沿って存在する、利用したものと判定した施設を案内するためのアイコン及び当該利用したものと判定した施設と同一種別の他の施設を案内するためのアイコンの表示状態の変更制御を行う。すなわち、案内経路に沿って表示されているアイコンの内、適切な範囲に存在するアイコンの表示を変更することができるので、モニタの表示画面についての視認性及び操作性を向上させることができる。
【００１６】
また、請求項４に記載のナビゲーション装置によれば、表示制御手段が、利用したものと判定した施設を案内するためのアイコン及び当該利用したものと判定した施設と同一種別の他の施設を案内するためのアイコンを削除することにより、モニタの表示画面上からユーザにとって不要となった施設についてのアイコンを省略し、モニタの表示画面についての視認性及び操作性を向上させることができる。
【発明を実施するための最良の形態】
【００１７】
以下、本発明に係るナビゲーション装置、ナビゲーション方法、及びナビゲーションプログラムの各実施の形態について図面を参照しつつ詳細に説明する。ただし、各実施の形態によって本発明が限定されるものではない。
【００１８】
〔実施の形態１〕
最初に、実施の形態１について説明する。この形態は、ユーザによって入力された種別に合致する施設を自車両が利用したものと判定された場合、当該利用したものと判定された施設を案内するためのアイコン及び当該利用したものと判定された施設と同一種別の他の施設を案内するためのアイコンの表示状態を変更制御する形態である。
【００１９】
（構成）
図１は実施の形態１に係るナビゲーション装置を例示するブロック図である。このナビゲーション装置１は、現在位置検出処理部１０、データ記録部２０、モニタ３０、スピーカ４０、操作部５０、タイマ５５、及び制御部６０を備えている。
【００２０】
（構成−現在位置検出処理部）
現在位置検出処理部１０は、ナビゲーション装置１が取り付けられた車両（以下「自車両」）の現在位置を検出する現在位置検出手段である。具体的には、現在位置検出処理部１０は、ＧＰＳ、地磁気センサ、距離センサ、ステアリングセンサ、又はジャイロセンサ（いずれも図示省略）の少なくとも一つを有し、現在の自車両の位置及び方位等を公知の方法にて検出する。
【００２１】
（構成−データ記録部）
データ記録部２０は、ナビゲーション装置１の動作に必要なプログラム及び各種のデータを記録する記録手段であり、例えば、外部記憶装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる。
【００２２】
このデータ記録部２０は、地図情報データベース（以下データベースを「ＤＢ」と称する）２０ａ、及び利用条件ＤＢ２０ｂを備えている。地図情報ＤＢ２０ａは、地図情報を格納する地図情報格納手段である。地図情報とは、ナビゲーションに必要な情報であり、例えば、コンビニ、ガソリンスタンド、レストラン、駐車場等の施設を案内するための施設データ（各施設の位置、各施設の種別、及び各施設を示すアイコンの描画情報を相互に関連付けた情報を含む）、地図をモニタ３０に表示するための地図表示データ、及び目的地に至るまでの経路を探索するための探索データ（各交差点に関する交差点データや、ノード点に関するノードデータを含む）等を含んで構成されている。
【００２３】
利用条件ＤＢ２０ｂは、利用条件情報を格納する利用条件情報格納手段である。ここで利用条件情報とは、後述する利用判定部６０ａによって自車両が施設を利用したか否かが判定される場合における判定基準となる情報を示す。図２は利用条件ＤＢ２０ｂに格納されている情報の内容を示した表であり、図２（ａ）は施設における自車両の状態を基準として利用判定を行う場合における利用条件情報を示した表、図２（ｂ）は図２（ａ）の判定基準に各施設における滞在時間が含まれる場合に、当該滞在時間を判定するための滞在時間判定条件情報を示した表である。
【００２４】
図２（ａ）に示した例では、利用条件ＤＢ２０ｂには、項目「判定項目」、及び、項目「判定基準」に対応する情報が相互に関連付けて格納されている。このうち項目「判定項目」に対応して格納される情報は、利用対象となる各施設の種別を特定する情報であり、図２（ａ）においては「ガソリンスタンド」「ファーストフード」等が格納されている。また、項目「判定基準」に対応して格納される情報は、各施設において利用判定を行う場合における基準となる状態を特定する情報であり、図２（ａ）においては、「燃料増加」「滞在時間≧３０分」等が格納されている。
【００２５】
また、図２（ｂ）に示した例では、利用条件ＤＢ２０ｂには、項目「カウント開始条件」に対応して、施設滞在時間のカウント開始条件を特定する情報（図２（ｂ）においては、「パーキング信号ＯＮかつサイドブレーキ信号ＯＮ」等）が格納されている。
【００２６】
（構成−モニタ）
モニタ３０は、後述する表示制御部６０ｂによって出力制御された地図情報を表示し、さらにアイコンの表示状態の変更制御に関する指示入力をユーザに促すための報知を行うためのものであり、特許請求の範囲における報知手段に対応するものである。このモニタ３０としては、公知の液晶ディスプレイや有機ＥＬディスプレイの如きフラットパネルディスプレイ、又は車両のフロントガラスにホログラムを投影するホログラム装置等を使用することができる。
【００２７】
（構成−スピーカ）
スピーカ４０は、アイコンの表示状態の変更制御に関する指示入力をユーザに促すための報知や、ナビゲーションに関する音声ガイダンス等を出力する出力手段であり、特許請求の範囲における報知手段に対応している。なお、スピーカ４０より出力される音声の具体的な態様は任意であり、必要に応じて生成された合成音声や、予め録音された音声を出力することができる。
【００２８】
（構成−操作部）
操作部５０は、ユーザによる操作入力を受け付ける操作手段である。操作部５０を介して受け付ける操作入力の具体的な内容は任意であり、例えば、出発地や目的地の設定、施設の検索等を挙げることができる。この操作部５０の具体的な構成は任意であり、例えば、モニタ３０の前面に設けたタッチパネル、押しボタン、リモートコントローラの如き遠隔操作手段、あるいは、音声入力を受け付けるマイクの如き音声認識手段を用いて操作部を構成することができる。
【００２９】
（構成−タイマ）
タイマ５５は、施設における自車両の滞在時間等を計時するための計時手段である。
【００３０】
（構成−制御部）
制御部６０は、ナビゲーション装置１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、本実施の形態に係るナビゲーションプログラムは、任意の記録媒体又はネットワークを介してナビゲーション装置１にインストールされることで、制御部６０の各部を実質的に構成する。
【００３１】
この制御部６０は、機能概念的に、利用判定部６０ａ、表示制御部６０ｂ、及び経路探索部６０ｃを備えている。利用判定部６０ａは、自車両が施設を利用したか否かを判定する利用判定手段である。表示制御部６０ｂは、モニタ３０に対する地図情報の表示制御や、施設に関するアイコンの表示状態を変更制御する表示制御手段である。経路探索部６０ｃは、地図情報に基づき、出発地から目的地に至る経路を探索する経路探索手段である。これら制御部６０の各構成要素によって実行される処理の詳細については後述する。なお、制御部６０には、自車両の走行速度を検出する車速センサ２が接続されている。
【００３２】
（処理）
このように構成されるナビゲーション装置１によって実行される表示制御処理について以下説明する。図３はナビゲーション装置１によって実行される表示制御処理の流れを示したフローチャート、図４から６は表示制御処理においてアイコンを含む地図情報を表示するモニタ３０の例を示した図である（以下の各処理の説明ではステップを「Ｓ」と略記する）。
【００３３】
まず、車両走行開始時等におけるユーザからの操作部５０を介した操作によってナビゲーション装置１が起動されると、表示制御部６０ｂは、現在位置検出処理部１０を介して取得した自車両の現在位置に基づいて地図情報ＤＢ２０ａを参照し、現在位置周辺の地図情報を取得してモニタ３０に表示させる（ＳＡ１）。図４（ａ）は、表示制御部６０ｂによってモニタ３０に地図情報が出力表示された状態を例示した図である。モニタ３０には自車両の現在位置周辺の道路や地名等の地図情報が表示されており、モニタ３０中央近傍には自車両を示す円及び三角形のアイコン、モニタ３０下辺近傍にはタッチパネル操作用のボタンが表示されている。
【００３４】
その後、表示制御部６０ｂは、ユーザによって操作部５０を介して「周辺施設」を表示させる旨の指示入力がされたか否かを監視する（ＳＡ２）。図４（ａ）の場合、モニタ３０下辺近傍に表示された「周辺施設」ボタンが押圧されることにより「周辺施設」を表示させる指示入力があったものと判断すると（ＳＡ２、Ｙｅｓ）、表示制御部６０ｂは、表示させるべき施設の種別をユーザに指示させるための種別指示画面をモニタ３０に表示させる（ＳＡ３）。
【００３５】
図４（ｂ）は、表示制御部６０ｂによってモニタ３０に種別指示画面が表示された状態を例示した図である。モニタ３０には施設の種別として「ＧＳ全て」や「コンビニ全て」等のボタンが表示されており、これらのボタンが押圧されることにより、押圧されたボタンに対応する種別がユーザによって選択されたものと表示制御部６０ｂが判断する。
【００３６】
さらに、施設の種別を複数階層に分類し、一つの階層における種別が選択された場合において、一段階下位の階層における種別を更にユーザに選択させることができる。図４（ｃ）は、図４（ｂ）に例示した画面において「コンビニ全て」が選択された場合にモニタ３０に表示された種別指示画面を示した図である。図４（ｃ）に示したように、図４（ｂ）において「コンビニ全て」が選択された場合に、コンビニに含まれる施設の種別として「○○○○ストア」や「××××ストア」の如くフランチャイズチェーン毎に分類された種別に対応するボタンを表示し、これらの種別をユーザによって選択させることができる。
【００３７】
種別指示画面においてユーザにより施設の種別が指示入力されたものと判定すると（ＳＡ４、Ｙｅｓ）、表示制御部６０ｂは、地図情報ＤＢ２０ａの施設データの中で、当該施設データに含まれる各施設の種別が当該指示入力された種別に合致する施設データを抽出する。そして、当該抽出された施設データに含まれる各施設の位置に基づいて地図情報上の各施設の位置を特定し、当該特定された位置に、当該抽出された施設データに含まれる描画情報を用いて描画することにより、アイコンをモニタ３０の地図情報上に重畳表示させる（ＳＡ５）。図５は、図４（ａ）に示した地図情報に、アイコンとしての施設アイコンを重畳表示させたモニタ３０の表示画面を示した図である。図５中に複数表示されている正方形が施設アイコンを示している。これにより、ユーザが選択した種別に合致する施設の位置が地図上に表示され、ユーザが容易に認識できるようになる。
【００３８】
その後、表示制御部６０ｂは、モニタ３０に施設アイコンを表示させている施設（以下、「表示施設」と称する）に自車両が到着したか否かを監視する（ＳＡ６）（図５（ａ）の状態）。自車両が表示施設に到達したか否かについては、例えば自車両と当該表示施設との距離が所定距離以下となった場合に、表示施設に到着したものと判定させることができる。
【００３９】
表示施設に自車両が到着した場合（ＳＡ６、Ｙｅｓ）（図５（ｂ）の状態）、利用判定部６０ａは、ユーザによって当該表示施設が利用されたか否かを判定する（ＳＡ７）。具体的には、利用判定部６０ａは利用条件ＤＢ２０ｂを参照し、自車両が到着した表示施設に対応する種別（判定項目）に対応付けて格納されている判定基準を取得し、当該判定基準となる自車両の状態に基づき、当該表示施設が利用されたか否かを判定する。
【００４０】
図２（ａ）に示した例では、自車両が到着した表示施設の種別が「ガソリンスタンド」の場合は自車両の燃料の増加が検出された場合、あるいは自車両が到着した表示施設の種別が「ファーストフード」の場合はＤＳＲＣ（Ｄｅｄｉｃａｔｅｄ  Ｓｈｏｒｔ  Ｒａｎｇｅ  Ｃｏｍｍｕｎｉｃａｔｉｏｎ）を用いた通信による料金決済が行なわれた場合、あるいは所定の滞在時間が経過した場合等に、当該表示施設を利用したものと判定する。また、図２（ａ）の判定基準に滞在時間が含まれる場合には、図２（ｂ）の滞在時間判定条件情報に基づいて当該滞在時間が経過したか否かを判定する。例えば、図２（ａ）の例では、表示施設の種別（判定項目）が「レストラン」の場合は判定基準が「滞在時間≧３０分」であるため、図２（ｂ）の条件情報に基づいて３０以上の滞在時間が経過したか否かを判定する。
【００４１】
具体的には、項目「カウント開始条件」に対応して格納されている全ての条件を自車両が満たしたか否かを監視し、条件を満たした場合にはタイマ５５が施設滞在時間のカウントを開始する。例えば図２（ｂ）に示した例では、パーキング信号及びサイドブレーキ信号がＯＮとなり、エンジンが停止され、ドアが一回開閉された場合に、タイマ５５が施設滞在時間のカウントを開始する。そして、予め設定されている滞在時間が経過した後に自車両のエンジンが始動された場合、当該表示施設を利用したものと判定する。なお、項目「カウント開始条件」に対応して格納されている条件のいずれかが満たされた場合に、施設滞在時間のカウントをタイマ５５によって開始させてもよい。なお、表示施設に自車両が到着した場合に（ＳＡ６、Ｙｅｓ）、当該表示施設を利用したものと判定させてもよい。
【００４２】
上記の如き判定を行った結果、自車両が到着した表示施設を利用したものと判定した場合（ＳＡ７、Ｙｅｓ）、表示制御部６０ｂは、ユーザに対して当該利用したものと判定した施設を案内するためのアイコン及び当該利用したものと判定した施設と同一種別の他の施設を案内するためのアイコンの表示状態の変更内容に関する指示入力を促すための報知を行う（ＳＡ８）。この報知方法は任意であり、例えば図６（ａ）に示したように、施設アイコンの表示変更可否を確認するための表示をモニタ３０に出力させてもよく、あるいは、スピーカ４０を介して音声情報にてユーザによる指示入力を促してもよい。
【００４３】
ユーザによって操作部５０を介して施設アイコンの表示状態変更指示が入力された場合（ＳＡ９、Ｙｅｓ）、表示制御部６０ｂは、施設アイコンの表示状態の変更を行う（ＳＡ１０）。この施設アイコンの表示変更の具体的な内容は任意であり、例えば、ＳＡ４にてユーザによって指示入力がなされた種別であって、利用された表示施設が含まれる種別に合致する表示施設に関する施設アイコンの表示の削除、縮小、又は半透明化等を行うことができる。図６（ｂ）は、当該種別に合致する表示施設に関する施設アイコンの表示を削除した場合の例を示している。このように表示状態の変更を行う際には、利用したものと判定した表示施設を案内するための施設アイコンに加えて、利用したものと判定した施設と同一種別の他の施設を案内するための施設アイコンを変更対象とする。例えば、ユーザによって指示入力がなされた種別が「ガソリンスタンド」であり、複数のガソリンスタンドの施設アイコンが表示されている場合において、当該複数のガソリンスタンドの中のいずれか一つのガソリンスタンドがユーザに利用されたものと判定した場合には、当該利用されたガソリンスタンドの施設アイコンの表示、及び当該ガソリンスタンド以外の全てのガソリンスタンドの施設アイコンの表示について、削除、縮小、又は半透明化を行う。
【００４４】
あるいは、現在表示している施設アイコンの中で、利用したものと判定した表示施設を案内するための施設アイコン及び利用したものと判定した施設と同一種別の他の施設を案内するための施設アイコンを消去すると同時に、当該消去した施設アイコンの再表示を単一のボタンで代表して指示するための再表示指示ボタンをモニタ３０の所定位置に表示させてもよい。そして、ユーザが任意のタイミングで当該再表示指示ボタンを選択した場合には、先に消去した施設アイコンを再表示させるようにしてもよい。
【００４５】
ＳＡ１０にて施設アイコンの表示状態変更を行った後、あるいはユーザによって施設アイコンの表示状態変更指示が入力されない場合は（ＳＡ９、Ｎｏ）、ＳＡ６に戻り、表示施設に自車両が到着したか否かを再度監視する。
【００４６】
（効果）
このように本実施の形態１によれば、利用判定部６０ａが、自車両が検索された施設を利用したものと判定した場合において、当該利用したものと判定した施設を案内するためのアイコン及び当該利用したものと判定した施設と同一種別の他の施設を案内するためのアイコンの表示状態を変更制御するので、ユーザにとって不要となった施設についての施設アイコンを変更することができ、モニタ３０の表示画面についての視認性及び操作性を向上させることができる。
【００４７】
また、ユーザによる表示状態の変更についての指示入力を受け付けた場合に表示制御部６０ｂがアイコンの表示状態を変更制御するので、表示状態の変更についてユーザの意思を反映することができ、不要なアイコンを変更することができる。
【００４８】
また、ユーザによって入力された種別に合致する施設が複数存在する場合、当該種別に対応する単一の再表示指示ボタンのみが表示されるように表示制御部６０ｂが表示状態を変更するので、ユーザにとって不要となった施設については単一の再表示指示ボタンに簡素化し、モニタ３０の表示画面についての視認性及び操作性を向上させることができる。
【００４９】
また、表示制御部６０ｂが、利用したものと判定した施設を案内するためのアイコン及び当該利用したものと判定した施設と同一種別の他の施設を案内するためのアイコンを削除することにより、モニタ３０の表示画面上からユーザにとって不要となった施設についての施設アイコンを省略し、モニタ３０の表示画面についての視認性及び操作性を向上させることができる。
【００５０】
〔実施の形態２〕
次に、実施の形態２について説明する。この形態は、自車両の案内経路に沿って存在する、ユーザによって入力された種別に合致する施設に関する施設アイコンの表示状態を変更制御する形態である。なお、実施の形態２及びそれ以降の実施の形態の構成は、特記する場合を除いて実施の形態１の構成と略同一であり、実施の形態１の構成と略同一の構成についてはこの実施の形態１で用いたものと同一の符号及び／又は名称を必要に応じて付して、その説明を省略する。
【００５１】
（構成−ナビゲーション装置）
図７は実施の形態２に係るナビゲーション装置の電気的構成を例示するブロック図である。このナビゲーション装置１のデータ記録部２０は、再利用情報ＤＢ２０ｃを備えている。再利用情報ＤＢ２０ｃは、施設が利用された後に再度利用されるまでの時間を特定する再利用時間情報を格納するための再利用情報格納手段である。図８は再利用情報ＤＢ２０ｃに格納されている情報の内容を示した表である。この図８に示した例では、再利用情報ＤＢ２０ｃには、項目「種別」、及び、項目「再利用時間」に対応する情報が相互に関連付けて格納されいている。このうち項目「種別」に対応して格納される情報は、施設の種別を特定する情報であり、図８においては「コンビニ」「レストラン」等が格納されている。また、項目「再利用時間」に対応して格納される情報は、各種別の施設についての再利用情報であり、図８においては、種別「コンビニ」の施設については「２ｈ」、種別「レストラン」の施設については「４ｈ」等が格納されている。なお、再利用情報ＤＢ２０ｃには、施設が利用された後に再度利用されるまでの間に自車両が移動する距離を特定する再利用距離情報を格納させてもよい。例えば、種別「ガソリンスタンド」に対応して、満タンの場合における自車両の走行可能距離等の距離情報を格納させてもよい（図示省略）。
【００５２】
（処理）
次に、本実施の形態２に係るナビゲーション装置１によって実行される表示制御処理について説明する。図９は、表示制御処理の流れを示したフローチャートである。
【００５３】
まず、車両走行開始時等におけるユーザからの操作部５０を介した操作によってナビゲーション装置１が起動され、さらに目的地の設定等が行われ、経路案内開始の指示入力が行われると、経路探索部６０ｃは設定された目的地までの経路を探索する（ＳＢ１）。そして、探索された経路を、地図情報上に重畳してモニタ３０に表示させる（ＳＢ２）。なお、経路探索の具体的な方法や経路の表示方法については、公知の技術を用いることができるため、説明を省略する。
【００５４】
次に、表示制御部６０ｂは、探索された案内経路に沿って存在する施設に関する施設アイコンをモニタ３０に表示させるか否かについて、ユーザに指示入力を促す旨の表示をモニタ３０に出力させ、ユーザから指示入力がされたか否かを監視する（ＳＢ３）。そして、ユーザから操作部５０を介して指示入力がされた場合（ＳＢ３、Ｙｅｓ）、表示制御部６０ｂは、表示させるべき施設の種別をユーザに指示させるための種別指示画面をモニタ３０に表示させる（ＳＢ４）。
【００５５】
続くＳＢ５からＳＢ８までの各処理の内容については、上記実施の形態１において図３を参照して説明した表示制御処理におけるＳＡ４からＳＡ７までの各処理の内容と同様であるので、説明を省略する。
【００５６】
ＳＢ８において、自車両が到着した表示施設を利用したものと判定した場合（ＳＢ８、Ｙｅｓ）、表示制御部６０ｂは、ＳＢ５においてユーザによって指示入力がなされた種別であって、利用された表示施設が含まれる種別（以下、「利用済み種別」と称する）に対応付けて格納されている再利用時間情報を再利用情報ＤＢ２０ｃから取得する（ＳＢ９）。例えば、図８に示した例では、利用済み種別が「コンビニ」であった場合、対応する再利用時間として「２ｈ」を示す再利用時間情報が取得される。
【００５７】
次に、表示制御部６０ｂは、取得した再利用時間情報にて特定される時間の間に自車両が到達可能な範囲内で案内経路に沿って存在する、利用済み種別に合致する施設を、地図情報に基づき特定する（ＳＢ１０）。自車両が到達可能な距離については、現在位置、自車両の平均速度、及び地図情報等に基づき、公知の方法によって特定することができるため、説明を省略する。
【００５８】
続いて、表示制御部６０ｂは、ＳＢ１０において特定された利用済み種別に合致する施設について、ユーザに対して施設アイコンの表示状態の変更内容に関する指示入力を促すための報知を行う（ＳＢ１１）。ユーザによって操作部５０を介して施設アイコンの表示状態変更指示が入力された場合（ＳＢ１２、Ｙｅｓ）、表示制御部６０ｂは、施設アイコンの表示状態の変更を行う（ＳＢ１３）。具体的には、表示制御部６０ｂは、ＳＢ８において利用したものと判定した施設の施設アイコンの表示に加えて、当該利用したものと判定した施設と同一種別の施設の施設アイコンであって、ＳＢ１０において特定された利用済み種別に合致する施設の施設アイコンの表示を、削除、縮小、又は半透明化し、あるいは、当該種別に対応する単一の再表示指示ボタンのみが表示されるようにモニタ３０の表示状態を変更する。
【００５９】
ＳＢ１３にて施設アイコンの表示状態変更を行った後、あるいはユーザによって施設アイコンの表示状態変更指示が入力されない場合は（ＳＢ１２、Ｎｏ）、ＳＢ７に戻り、表示施設に自車両が到着したか否かを再度監視する。
【００６０】
（効果）
このように実施の形態２によれば、実施の形態１の全部又は一部と同様の効果に加えて、再利用時間情報にて特定される時間の間に自車両が到達可能な範囲内で案内経路に沿って存在する、利用したものと判定した施設を案内するためのアイコン及び当該利用したものと判定した施設と同一種別の他の施設を案内するためのアイコンの表示状態の変更制御を行う。すなわち、案内経路に沿って表示されているアイコンを、当該アイコンの種別毎に適切な範囲における表示に変更することができるので、モニタ３０の表示画面についての視認性、操作性を向上させることができる。
【００６１】
〔各実施の形態に対する変形例〕
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００６２】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００６３】
（各実施の形態の相互の関係について）
上記説明した各実施の形態は、任意の組み合わせで相互に組み合わせることができる。例えば、実施の形態１と実施の形態２を組み合わせて、経路案内を行わない場合は自車両の周辺施設の施設アイコンに関する表示制御処理を行い、経路案内を行う場合は案内経路に沿って存在する施設の施設アイコンに関する表示制御処理を行うように表示制御部６０ｂを構成してもよい。
【００６４】
（表示制御部について）
上述の各実施の形態では、表示制御部６０ｂはユーザによって指示入力がなされた種別であって、利用された施設が含まれる種別に合致する施設に関する施設アイコンの表示状態を変更制御すると説明したが、利用された施設が含まれる種別の上位階層、若しくは下位階層の種別に合致する施設に関する施設アイコンの表示状態を変更制御させてもよい。例えば、利用された施設が含まれる種別が、「コンビニエンスストア」の下位階層に属する種別である具体的なコンビニエンスストアチェーンの名称「○×マート」の場合、その上位階層である種別「コンビニエンスストア」に合致する施設に関する施設アイコンの表示状態を変更制御させてもよい。また、利用された施設が含まれる種別が「コンビニエンスストア」の場合、その下位階層の全種別に合致する施設や、当該下位階層の種別の中からユーザに選択させた一つの種別「○×マート」に合致する施設について、その施設アイコンの表示状態を選択的に変更制御させてもよい。この場合、何れの表示制御内容とするかについて、ユーザに指示入力を促す旨の表示をモニタ３０に出力させ、操作部５０を介したユーザによる指示入力に基づき、施設アイコンの表示状態を変更制御させてもよい。
【図面の簡単な説明】
【００６５】
【図１】実施の形態１に係るナビゲーション装置を例示するブロック図である。
【図２】利用条件ＤＢに格納されている情報の内容を示した表であり、図２（ａ）は施設における自車両の状態変化を基準として利用判定を行う場合における利用条件情報を示した表、図２（ｂ）は図２（ａ）の判定基準に各施設における滞在時間が含まれる場合に、当該滞在時間を判定するための滞在時間判定条件情報を示した表である。
【図３】ナビゲーション装置によって実行される表示制御処理の流れを示したフローチャートである。
【図４】施設アイコンを含む地図情報を表示するモニタの例を示した図である。
【図５】施設アイコンを含む地図情報を表示するモニタの例を示した図である。
【図６】施設アイコンを含む地図情報を表示するモニタの例を示した図である。
【図７】実施の形態２に係るナビゲーション装置を例示するブロック図である。
【図８】再利用情報ＤＢに格納されている情報の内容を示した表である。
【図９】表示制御処理の流れを示したフローチャートである。
【符号の説明】
【００６６】
１  ナビゲーション装置
２  車速センサ
１０  現在位置検出処理部
２０  データ記録部
２０ａ  地図情報ＤＢ
２０ｂ  利用条件ＤＢ
２０ｃ  再利用情報ＤＢ
３０  モニタ
４０  スピーカ
５０  操作部
６０  制御部
６０ａ  利用判定部
６０ｂ  表示制御部
６０ｃ  経路探索部
５５  タイマ
【図１】
2010014455.tif 000003
【図２】
2010014455.tif 000004
【図３】
2010014455.tif 000005
【図４】
2010014455.tif 000006
【図５】
2010014455.tif 000007
【図６】
2010014455.tif 000008
【図７】
2010014455.tif 000009
【図８】
2010014455.tif 000010
【図９】
2010014455.tif 000011